(57)【要約】【課題】端末線及び絶縁チューブを縛って固定する手段として、結束部材を用いた場合にも、固定子の軸方向寸法を短くして小型化することを目的としている。【解決手段】周方向に隣り合う壁部４ａの隣接する部分にヨークの軸方向に結束用部材の厚さ以上の深さを有する切欠き部１９が形成され、かつ、切欠き部１９の底部から隣のインシュレータ側へ張り出した張り出し部１７を備え、張り出し部１７における巻線を巻回した時に壁部４ａに巻線が接触する領域１５の外側位置であり、ヨークの軸と平行な方向の巻線の高さＨより低い位置に、貫通孔１６が形成されているものとする。【選択図】図２
2010252442.tif 000002
【特許請求の範囲】
【請求項１】
円筒状のヨークと上記ヨークから径方向に突出し周方向に所定の間隔で設けられたティースとを有する鉄心、上記ティースに巻回された巻線、上記ティースに嵌合する嵌合部と上記ティースのヨーク側根元の上記嵌合部から垂直に張り出した壁部とを有し、上記鉄心と上記巻線とを絶縁し、上記巻線の端末線及び上記巻線の接続部を束ねる結束用部材を通して固定するための貫通孔を上記壁部に有するインシュレータを備えた回転電機の固定子において、
周方向に隣り合う上記壁部の隣接する部分に上記ヨークの軸方向に上記結束用部材の厚さ以上の深さを有する凹部が形成され、上記壁部の隣接する部分であって上記巻線を巻回した時に上記壁部に巻線が接触する領域の外側であり上記巻線の上記ヨークの軸方向の高さより低い位置で、かつ、上記凹部の近傍の位置に上記貫通孔が形成されていることを特徴とする回転電機の固定子。
【請求項２】
上記壁部は、その周方向一端が周方向に所定長の張り出し部に形成され、周方向他端が上記張り出し部に対応し周方向に上記所定長の切込み部に形成され、上記張り出し部に上記凹部及び上記貫通孔が設けられていることを特徴とする請求項１に記載の回転電機の固定子。
【請求項３】
上記壁部の周方向両端に第１の切欠き部が形成され、上記壁部の周方向両端または一端に第２の切欠き部が形成され、上記周方向に隣り合う壁部の周方向の端面が突合せられ、上記第１の切欠き部同士が突き合わせられて上記貫通孔が形成され、上記第２の切欠き部同士または上記第２の切欠き部と上記周方向に隣り合う壁部の端面により上記凹部が形成されていることを特徴とする請求項１に記載の回転電機の固定子。
【請求項４】
上記結束用部材は、上記巻線の端末線及び上記巻線の接続部を束ねる帯状部と、上記帯状部の一端に接続され上記帯状部の他端を開閉する頭部とからなる結束バンドであることを特徴とする請求項１に記載の回転電機の固定子。
【発明の詳細な説明】
【技術分野】
【０００１】
本発明は、回転電機の固定子に関し、特に、固定子の鉄心と巻線とを絶縁するインシュレータに関するものである。
【背景技術】
【０００２】
従来の一般的な回転電機の固定子は、鉄心の各ティースに嵌合したインシュレータを介して巻線が巻回される。巻線のコイルエンドから出る端末線と電源線、及び中性点を成す端末線同士は、半田付け等により接続され、この接続部は絶縁チューブが被せられて保護される。端末線及び絶縁チューブは絶縁性の結束糸で縛ってコイルエンドに固定される。
【０００３】
巻線に細い線材を用いた場合のように巻線自体に剛性がない場合は、インシュレータのティース根元側の壁部の中央に貫通穴を設け、結束糸を貫通穴に通すことにより、端末線及び絶縁チューブの固定を堅固にする方法がある（例えば、特許文献１参照）。
【先行技術文献】
【特許文献】
【０００４】
【特許文献１】特許第３３５３７５８号（第６頁、図５）
【発明の概要】
【発明が解決しようとする課題】
【０００５】
端末線及び絶縁チューブを縛って固定する手段として、上記特許文献１の方法を適用した場合、結束用部材である結束糸と巻線との干渉を避けるため、貫通穴をインシュレータの壁部の中央に設けると、固定子の軸方向寸法は、結束糸を使わない場合に比べて結束糸の太さ２本分だけ大きくなるという問題がある。
【０００６】
また、端末線及び絶縁チューブを縛って固定する手段として、結束糸を用いた場合は、結束糸が緩むのを防止するために結び目を作る作業が必要なため、作業時間が長くなりコストが高くなる。
【０００７】
本発明は、上記のような問題を解決するためになされたものであり、端末線及び絶縁チューブを縛って固定する手段として、結束部材を用いた場合にも、固定子の軸方向寸法を短くして小型化することを目的としている。
【０００８】
また、結束部材による固定の作業時間を短縮して、コストを低減することを目的とする。
【課題を解決するための手段】
【０００９】
円筒状のヨークと上記ヨークから径方向に突出し周方向に所定の間隔で設けられたティースとを有する鉄心、上記ティースに巻回された巻線、上記ティースに嵌合する嵌合部と上記ティースのヨーク側根元の上記嵌合部から垂直に張り出した壁部とを有し、上記鉄心と上記巻線とを絶縁し、上記巻線の端末線及び上記巻線の接続部を束ねる結束用部材を通して固定するための貫通孔を上記壁部に有するインシュレータを備えた回転電機の固定子において、
周方向に隣り合う上記壁部の隣接する部分に上記ヨークの軸方向に上記結束用部材の厚さ以上の深さを有する凹部が形成され、上記壁部の隣接する部分であって上記巻線を巻回した時に上記壁部に巻線が接触する領域の外側であり上記巻線の上記ヨークの軸方向の高さより低い位置で、かつ、上記凹部の近傍の位置に上記貫通孔が形成されているものである。
【発明の効果】
【００１０】
円筒状のヨークと上記ヨークから径方向に突出し周方向に所定の間隔で設けられたティースとを有する鉄心、上記ティースに巻回された巻線、上記ティースに嵌合する嵌合部と上記ティースのヨーク側根元の上記嵌合部から垂直に張り出した壁部とを有し、上記鉄心と上記巻線とを絶縁し、上記巻線の端末線及び上記巻線の接続部を束ねる結束用部材を通して固定するための貫通孔を上記壁部に有するインシュレータを備えた回転電機の固定子において、
周方向に隣り合う上記壁部の隣接する部分に上記ヨークの軸方向に上記結束用部材の厚さ以上の深さを有する凹部が形成され、上記壁部の隣接する部分であって上記巻線を巻回した時に上記壁部に巻線が接触する領域の外側であり上記巻線の上記ヨークの軸方向の高さより低い位置で、かつ、上記凹部の近傍の位置に上記貫通孔が形成されているものであるので、固定子の軸方向寸法を短くして小型化することができる。
【図面の簡単な説明】
【００１１】
【図１】本発明に係る回転電機の固定子の構成を示す正面図である。
【図２】本発明に係る回転電機の固定子に用いられるインシュレータの実施の形態１を示す斜視図である。
【図３】図２に示したインシュレータに巻線を巻いた状態を示す側面図である。
【図４】本発明に係る回転電機の固定子に用いられるインシュレータの実施の形態２を示す斜視図である。
【図５】図４に示したインシュレータに巻線を巻いた状態を示す側面図である。
【発明を実施するための形態】
【００１２】
以下、本発明の実施形態を図に基づき説明する。
実施の形態１．
図１は、本発明に係る回転電機の固定子の構成を示す正面図、図２は、本発明に係る回転電機の固定子に用いられるインシュレータの実施の形態１を示す斜視図、図３は、図２に示したインシュレータに巻線を巻いた状態を示す側面図であり、ティース及びインシュレータ部分は断面図で示している。なお、図２では、巻線及びティースは図示していない。
【００１３】
図１に示したように、回転電機の固定子１は、円筒状のヨーク２ａとヨーク２ａから径方向に突出し周方向に所定の間隔で設けられたティース３とを有する鉄心２、各ティース３に巻回された巻線５、鉄心２と巻線５とを絶縁するインシュレータ４を有する。巻線５のコイルエンドから出る端末線６と電源線７、及び中性点を成す端末線８同士は、半田付け等により接続される。この接続部は、絶縁チューブ９が被せられて保護される。端末線６，８及び絶縁チューブ９は結束糸１０で縛り、端末線６，８及び絶縁チューブ９を堅固に固定する。本発明は、インシュレータ４のティース根元側の壁部に貫通孔を設け、結束用部材を貫通孔に通すことにより、端末線６，８及び絶縁チューブ９を堅固に固定する。また、結束用部材に図３に示した結束バンド１２を用いる。
【００１４】
図２に示したように、インシュレータ４は、ティース３に嵌合する嵌合部４ｂとティース３のヨーク側根元の嵌合部４ｂから嵌合部４ｂと垂直に張り出した壁部４ａとを有し、巻線５の端末線６，８及び巻線５の接続部に被せられた絶縁チューブ９を束ねる結束用部材を通して固定するための貫通孔１６を壁部４ａに有する。集中巻においては、巻線５がインシュレータ４それぞれのティース根元側の壁部４ａと接触する斜線で示した領域１５は、巻線５の厚みＨの領域で、ティース３の角に対応する部分は巻線５の厚みＨにほぼ等しいＲ形状となる。そのため、隣り合うインシュレータ４の領域１５の右上のＲと領域１５の左上のＲに挟まれた、境界近傍の点線で示した逆三角形状の範囲１８が、領域１５の外側にあって巻線５のヨーク２ａの軸方向の高さＨより低い部分に位置する。
【００１５】
本発明の回転電機の固定子に用いられるインシュレータ４は、壁部４ａの周方向の一端に張り出し部１７を形成し、周方向の他端を上記張り出し部１７に対応した切込み部１９に形成し、上記張り出し部１７に凹部２０を形成し、張り出し部１７の逆三角形状の範囲１８に位置する部分に貫通孔１６を設ける。凹部２０の深さは図３に示した結束バンド１２の帯状部１４の厚さ以上とする。
【００１６】
図３に示した結束バンド１２は、端末線６、端末線８及び絶縁チューブ９を束ねる帯状部１４と帯状部１４の一端に、帯状部１４の他端を開閉する機構を有する頭部１３が接続されている。具体的には、例えば、頭部１３は帯状部１４の他端を嵌め込んで固定する穴１３ａを有し、帯状部１４の他端を頭部１３の穴１３ａに嵌め込むことによって帯状部１４の他端を閉じることができる。
【００１７】
そして、図３に示したように、貫通孔１６に結束バンド１２の帯状部１４を通し、端末線６（図示せず）、端末線８及び絶縁チューブ９の下をくぐらせ、さらに、凹部２０に通して帯状部１４の他端を頭部１３の穴１３ａに固定して端末線６、端末線８及び絶縁チューブ９をインシュレータ４に固定する。
【００１８】
本実施の形態１によれば、貫通孔１６を巻線５のヨーク２ａの軸方向の高さＨより低い位置に設け、貫通孔１６の近傍に結束バンド１２の帯状部１４の厚さ以上の深さの凹部２０を形成し、結束バンド１２の帯状部１４を貫通孔１６及び凹部２０に通すようにしたので、固定子１の軸方向長さを短くし、小型化することができる。
【００１９】
また、結束バンド１２を用いることによって、端末線６、端末線８及び絶縁チューブ９を固定する作業時間を短縮し、コストを低減することができる。
【００２０】
実施の形態２．
図４は、本発明に係る回転電機の固定子に用いるインシュレータの実施の形態２を示す斜視図、図５は、図４に示したインシュレータに巻線を巻いた状態を示す側面図であり、ティース及びインシュレータ部分は断面図で示している。なお、図４では、巻線及びティースは図示していない。
【００２１】
上記実施の形態１では、逆三角形状の範囲１８において壁部４ａに貫通孔１６を設けるために、壁部４ａに張り出し部１７を形成したが、本実施の形態２では、図４に示したように、壁部４ａの周方向両端面において逆三角形状の範囲１８の部分に第１の切欠き部１６ａ，１６ｂを設け、隣り合う壁部４ａ同士が当接し、第１の切欠き部１６ａ，１６ｂで貫通孔１６を形成するようにしている。また、壁部４ａの周方向両端に、結束糸１０の厚さ以上の深さを有する第２の切欠き部２０ａ，２０ｂを形成し、隣り合う壁部４ａ同士が当接することによって隣接する第２の切欠き部２０ａ，２０ｂ同士が突き合わせられて凹部２０が形成される。第２の切欠き部２０ａ、２０ｂはいずれか一方のみとする、すなわち、隣接する壁部４ａのいずれか一端に設けるようにしてもよい。この場合は、隣接する一方の壁部４ａの第２の切欠き部と他方の壁部４ａの端面によって凹部２０が形成される。
【００２２】
そして、図５に示したように、端末線６（図示せず）、端末線８及び絶縁チューブ９の下をくぐらせ、貫通孔１６に結束糸１０を通し、さらに、凹部２０に通して結び目２０で結んで端末線６、端末線８及び絶縁チューブ９をインシュレータの壁部４ａに固定する。
【００２３】
なお、本実施の形態２では、結束用部材として結束糸１０を用いた例を示したが、結束バンド１２を用いることにより端末線６、端末線８及び絶縁チューブ９を固定する作業時間を短縮することができる。
【産業上の利用可能性】
【００２４】
この発明は、回転電機の固定子に有効に利用することができる。
【符号の説明】
【００２５】
１  固定子、２  鉄心、３  ティース、４  インシュレータ、４ａ  壁部、
４ｂ  嵌合部、５  巻線、６，８  端末線、７  電源線、９  絶縁チューブ、
１０  結束糸、１２  結束バンド、１３  頭部、１３ａ  穴、１４  帯状部、
１５  領域、１６  貫通孔、１６ａ，１６ｂ  第１の切欠き部、１７  張り出し部、
１８  逆三角形の領域、１９  切込み部、２０  凹部、
２０ａ，２０ｂ  第２の切欠き部、２１  結び目。
【図１】
2010252442.tif 000003
【図２】
2010252442.tif 000004
【図３】
2010252442.tif 000005
【図４】
2010252442.tif 000006
【図５】
2010252442.tif 000007